(57)【特許請求の範囲】
【請求項１】
フイルム出入り口に開閉自在な遮光蓋が組み込まれたカートリッジが予め装填されるカートリッジ室と、ロール状にした写真フイルムが予め装填されるフイルムロール室とが設けられたユニット本体を備えるとともに、前記カートリッジ室の上方に、前記カートリッジ室の上面壁を貫通してカートリッジ内のスプールに係合する巻き上げ軸を有しフイルム巻き上げ時に回動操作される巻き上げノブが設けられたレンズ付きフイルムユニットにおいて、
前記カートリッジ室の上面壁に、前記巻き上げノブの下面を中心側で支持するスリーブと、前記巻き上げノブの下面を外周縁側で支持する突起とを形成し、
前記スリーブ及び突起によって確保されたカートリッジ室の上面壁と巻き上げノブの下面との間のスペース内に、カートリッジ室の上面壁を貫通して前記遮光蓋に係合する駆動軸を有し前記遮光蓋を開閉するための蓋駆動部材を組み込んだことを特徴とするレンズ付きフイルムユニット。
【請求項２】
前記巻き上げノブの外周縁に形成した歯面に係合して巻き上げノブの逆転操作を禁止する逆止爪と、巻き上げノブの上面に摺接して逆止爪が歯面に係脱する際の音の発生を抑制する消音片とが前記ユニット本体に一体に形成されるとともに、ユニット本体の前面及び上面を覆う前カバーの内壁に突起を形成し、この突起で巻き上げノブの上方への移動を制限するようにしたことを特徴とする請求項１記載のレンズ付きフイルムユニット。
【発明の詳細な説明】
【０００１】
【発明の属する技術分野】
本発明は、フイルム出入り口に開閉自在な遮光蓋が組み込まれたカートリッジが収納されるカートリッジ室の上壁面に、遮光蓋を閉じ位置に回動させる蓋回動部材を組み込んだレンズ付きフイルムユニットに関するものである。
【０００２】
【従来の技術】
レンズ付きフイルムユニットは、簡単な撮影機構及びシャッタ機構を備え予め１３５タイプのフイルムパトローネが装填されたユニット本体を、装飾用の印刷が施された外装体で覆ったもので、誰にでも手軽に撮影を行えることから一般に広く知られている。
【０００３】
レンズ付きフイルムユニットのユニット本体には、パトローネを収納するパトローネ室と、パトローネから引き出されてロール状に巻かれたフイルムロールを収納するフイルムロール室とが一体に設けられている。このパトローネ室の上方には巻き上げノブが組み込まれている。巻き上げノブは、底面に一体に設けた軸がパトローネ室の上面壁に貫通してパトローネのスプールに係合しており、回動操作に伴ってスプールを回転させるようになっている。
【０００４】
巻き上げノブの外周縁には歯面が形成されており、回動操作する際の指掛りがしやすくなっている。この巻き上げノブの歯面には逆止爪が係合して、巻き上げノブの逆転が禁止されている。最近のレンズ付きフイルムユニットでは、この逆止爪に、巻き上げノブの上面に摺接して逆止爪が巻き上げノブの歯面に係脱する際の音の発生を防止する消音片を一体に設けて、巻き上げノブの操作時の騒音を低減するようにしたものがある。
【０００５】
また当技術分野では、ＡＰＳ（Ａｄｖａｎｃｅｄ  Ｐｈｏｔｏ  Ｓｙｓｔｅｍ）対応のフイルムカートリッジが提案されている。このフイルムカートリッジは、カートリッジ本体にプラスチックが用いられ、さらにフイルム出入り口の遮光に従来のテレンプに代えて、フイルム出入り口を開放する開き位置とフイルム出入り口を閉鎖して遮光する閉じ位置との間で回動自在とされたプラスチック製の遮光蓋が用いられている。この遮光蓋は、フイルムカートリッジがカメラに装填されるとカメラ内部の機構によって開き位置に回動され、カメラから取り出す際には閉じ位置に回動される。
【０００６】
上記フイルムカートリッジは小型，軽量であるため、レンズ付きフイルムユニットに利用することが提案されている。フイルムカートリッジを用いたレンズ付きフイルムユニットでは、使用後のフイルムカートリッジの取出し作業の効率を向上させるために、パトローネ室（カートリッジ室）の底面を光密に覆う底蓋の開放に連動して、遮光蓋を自動的に閉じるようにした遮光蓋回動機構が提案されている。
【０００７】
上記遮光蓋回動機構は、例えばカートリッジ室の上面壁に、回動自在に組み込まれ遮光蓋の軸に係合した駆動軸と、この駆動軸と一体に形成され、カートリッジ室の上面壁に配置された係止爪とからなる蓋駆動部材と、カートリッジ室の上面壁に組み込まれ、蓋駆動部材を遮光蓋の閉じ方向に付勢するバネと、カートリッジ室と露光ユニットとの間に上下方向でスライド自在に組みつけられ、その上端部は係止爪をバネの付勢に抗して遮光蓋の開き位置に保持し、下端部は底蓋に一体に形成された係合爪に係合された連結棒とからなるものがある。底蓋が開放されるのに伴って連結棒が下方にスライドされると、係止爪の保持が解除され、蓋駆動部材が遮光蓋の閉じ方向に回動し、遮光蓋が閉じられる。
【０００８】
【発明が解決しようとする課題】
フイルムカートリッジが装填されたレンズ付きフイルムユニットでは、従来のレンズ付きフイルムユニットにはなかった蓋駆動部材やバネをカートリッジ室の上面壁に組み込むことから、従来、カートリッジ室の上方に回動自在に組み込まれた巻き上げノブをカートリッジ室の上面壁から離して配置して、カートリッジ室の上面壁と巻き上げノブの下面との間に、蓋駆動部材やバネの組み付けスペースを確保する必要があった。
【０００９】
そこで、カートリッジ室の上面壁に巻き上げノブ組み付け用のスリーブを形成し、これに巻き上げノブの軸を差し込んで、巻き上げノブをカートリッジ室の上面壁から離して配置すればよい。しかしながら、巻き上げノブをスリーブに組み込んだ場合、支持が巻き上げノブの中心で行われるため、巻き上げノブの組み込みが不安定になる。そのため、巻き上げノブの操作時に傾いて巻き上げノブの裏面が蓋駆動部材やバネに接触して破損させる恐れがあった。また消音片が巻き上げノブに摺接しなくなって音を発生し、良好な操作感も得られなかった。
【００１０】
本発明は上述した従来技術のもつ欠点を解決するためになされたもので、巻き上げノブを支持して操作時の傾きを防止することで、カートリッジ室の上面壁と巻き上げノブの下面との間に遮光蓋回動機構の部品の組み込みを可能としたレンズ付きフイルムユニットを提供することを目的とするものである。
【００１１】
【課題を解決するための手段】
上記目的を達成するために、本発明では、カートリッジ室の上面壁に巻き上げノブの下面を中心側で支持するスリーブと、巻き上げノブの下面を外周縁側で支持する突起とを形成し、この突起によって確保されたカートリッジ室の上面壁と巻き上げノブの下面との間のスペース内に、カートリッジ室の上面壁を貫通して遮光蓋に係合する駆動軸を有し遮光蓋を開閉するための蓋駆動部材を組み込むようにしたものである。
【００１２】
請求項２においては、巻き上げノブの外周縁に形成した歯面に係合して巻き上げノブの逆転操作を禁止する逆止爪と、巻き上げノブの上面に摺接して逆止爪が歯面に係脱する際の音の発生を抑制する消音片とがユニット本体に一体に形成されるとともに、ユニット本体の前面及び上面を覆う前カバーの内壁に突起を形成し、この突起で巻き上げノブの上方への移動を制限するようにしたものである。
【００１３】
【発明の実施の形態】
以下、添付した図面に従って、本発明を実施したレンズ付きフイルムユニットの一形態について説明する。図３はレンズ付きフイルムユニットを構成するユニット本体３を分解して示すものである。ユニット本体３は、フイルムカートリッジ１０を構成するカートリッジ本体１２と、このカートリッジ本体１２から引き出してロール状にしたフイルムロール１３ａが装填される本体部５と、この本体部５の前面側に組み付けられる露光ユニット６及びストロボユニット７と、本体部５の前面側及び背面側を覆うように組み付けられる前カバー８及び後カバー９とから構成されており、これらの部品の各々は爪結合によって組み立てられる。
【００１４】
本体部５の中央部には、この露光ユニット６からフイルム１３までの間の撮影光路を遮光する遮光筒１１が一体に設けられ、フイルム巻き止め機構及びシャッタ機構等を組み込んだ露光ユニット６が組み付けられる。この遮光筒１１を挟んだ両側には、カートリッジ本体１２と、このカートリッジ本体１２から引き出してロール状にしたフイルムロール１３ａとをそれぞれ収納するカートリッジ室１４とフイルムロール室１５とが一体に形成されている。
【００１５】
カートリッジ室１４の上部には巻き上げノブ１８が回動自在に設けられている。巻き上げノブ１８の外周縁には歯面１８ａが形成されており、回動操作（図中反時計方向）する際の指掛りがしやすくなっている。カートリッジ室１４の上面に形成された逆止爪１９は巻き上げノブ１８の歯面１８ａに係合して、巻き上げノブ１８の逆方向（図中時計方向）への回動を禁止する。
【００１６】
後カバー９には、一体にカートリッジ室用の底蓋２１とフイルムロール室用の底蓋２２とが形成されている。後カバー９を本体部５の背面側に組み付けて、カートリッジ室１４及びフイルムロール室１５を底蓋２１，２２のそれぞれで閉じると、適正な遮光性能が得られる。この底蓋２１，２２は使用後のフイルムカートリッジ１２を取り出す際に開放される。
【００１７】
前カバー８は、本体部５の前面及び上面を覆うもので、前カバー８の前面には、カートリッジ室１４に倣って突出してグリップ部が形成されており、上面にはレリーズボタン３２が一体に形成されている。
【００１８】
各部品を爪結合により組み立てが完成したユニット本体３は、その中央部に、装飾用の印刷が施された外装シート（図示省略）が、帯状に一周して粘着固定される。前述した前カバー８及び後カバー９等に設けた係合爪や、係合爪に係合する係合部や、これらを形成するためにできた穴のほとんどが、ユニット本体の中央部に集中して設けられているので、外装シートが貼り付けられると覆われて、良好な外観を得ることができる。
【００１９】
また本体部５の左側面には、ストラップ取り付け用のフック１７が一体に形成されており、前カバー８及び後カバー９とを本体部５に組み付けると、前カバー８と後カバー９との合わせ目から露呈されるようになっている。このフック１７にストラップを取り付けると携帯を便利にすることができる。なお、このフック１７はストラップの未使用時に邪魔になることがあるので、このフック１７の代わりにストラップ取り付け用の穴をユニット本体３の表面よりも内側に設けてもよい。
【００２０】
図１及び図２は、カートリッジ室周辺の構成を示すものである。フイルムカートリッジ１３は、遮光性のプラスチックで成形され、合わせ目にフイルム１０が出入りするフイルム出入り口２５を形成した２個のケース１２ａ，１２ｂからなるカートリッジ本体１２と、フイルム出入り口２５の奥に組み込まれ、フイルム出入り口２５を遮光する閉じ位置と開放する開き位置との間で回動自在な遮光蓋２６と、カートリッジ本体１２の内部に回動自在に組み込まれ、スプール２７と、スプール２７に端部が係合したフイルム１０とから構成されている。
【００２１】
この遮光蓋２６を、底蓋２１の開放に連動して閉じ位置に回動させる遮光蓋回動機構は、カートリッジ室１４の上面壁に、回動自在に組み込まれて遮光蓋２６の端部に係合し、遮光蓋２６がフイルム出入り口２５を塞ぐ閉じ位置とフイルム出入り口２５を開放する開き位置との間で回動自在な駆動軸３５と、この駆動軸３５と一体に設けられ、カートリッジ室１４の上面壁に配置される係止レバー３６とからなる蓋駆動部材３４と、この蓋駆動部材３４を遮光蓋２６の閉じ方向に付勢するバネ３７と、カートリッジ室１４の側方に上下方向にスライド自在に組み込まれ、上端部３８ａはカートリッジ室１４の上面壁から突出して係止レバー３６に係合し、バネ付勢に抗して蓋駆動部材３４を遮光蓋２６の開き位置に保持し、下端部３８ｂは底蓋２１に一体に設けた係合爪２１ａに係合する連結棒３８とから構成されている。
【００２２】
底蓋２１が開放されると、連結棒３８が下方にスライドして係止レバー３６の係合が解除され、蓋駆動部材３４がバネ付勢によって閉じ方向に回動し、遮光蓋２６が閉じられる。
【００２３】
カートリッジ室１４の上面壁には、巻き上げノブ組み込み用のスリーブ３０が一体に形成されており、前述した蓋駆動部材３４とバネ３７とをカートリッジ室１４の上面壁に組み込んだ後、その上から巻き上げノブ１８が回動自在に組み込まれ、蓋駆動部材３４とバネ３７は、カートリッジ室１４の上壁面と巻き上げノブ１８の下面との間のスペース内に配置される。巻き上げノブ１８の下面に設けた係合軸１８ｂは、スリーブ３０を通ってカートリッジ室１４の上面壁を貫通し、スプール２７の端部に係合される。
【００２４】
巻き上げノブ１８は、スリーブ３０で中心が支持されるだけなので、操作時に傾いて、巻き上げノブ１８の下面が蓋駆動部材３４やバネ３７に接触する恐れがあった。そこで巻き上げノブ１８の下面を外周縁側で支持する突起３１をカートリッジ室１４の上面壁に一体に形成している。この突起３１で巻き上げノブ１８の下面の外周縁側が支持されるので、巻き上げノブ１８の操作時の傾きが防止され、この突起３１によって確保されたカートリッジ室１４の上面と巻き上げノブ１８との間のスペース内に、蓋駆動部材３４やバネ３７の組み込みが可能となった。また蓋駆動部材３４とバネ３７は、一部が巻き上げノブ１８で覆われるので抜け防止が行われ、後カバー９等の組み込み時の振動でバラケたりすることがない。またこの突起３１は射出成形によってカートリッジ室１４に一体に設けるので低コストに形成することが可能であり、突起３１はカートリッジ室１４の上面壁の補強にも役に立っている。
【００２５】
巻き上げノブ１８の巻き上げ操作時に、逆止爪１９が上下方向に振動して生じる騒音を減少させるために、前述した逆止爪１９に一体に消音片１９ａが形成されている。この消音片１９ａは巻き上げノブ１８の上面１８ａに垂直方向から当接して、フイルム巻き上げ操作時の逆止爪１９の振動を吸収する。
【００２６】
巻き上げノブ１８の操作時にガタつきを生じて巻き上げノブ１８が上方へ移動して、巻き上げノブ１８の上面から消音片１９ａが離れて音を生じるのを防止するため、前カバー８の内壁３９に、巻き上げノブ１８の上面に当接されるように突起３３ａ〜３３ｃを一体に形成している。突起３３ａ〜３３ｃの下端は、巻き上げノブ１８の上面の水平面上から０．１ｍｍオフセットして設けられており、巻き上げノブ１８の上面の浮き上がりを制限する。巻き上げノブ１８は、突起３１と突起３３ａ〜３３ｃとの間で摺動自在に保持される。
【００２７】
上記実施例の作用について説明する。巻き上げノブ１８の操作時に巻き上げノブ１８を傾けようとする力がかかるが、巻き上げノブ１８の下面の外周縁側がカートリッジ室１４の上面壁に一体に形成された突起３１に支持されて、傾きが防止されている。これにより、操作時に巻き上げノブ１８が傾いて巻き上げノブ１８が蓋駆動部材３４等に接触するといったことは皆無となる。
【００２８】
また巻き上げノブ１８の上面に突起３３ａ〜３３ｃが押し付けられているので、巻き上げノブ１８が上方へ移動することがなくなる。そのため、逆止爪１９の消音片１９ａが巻き上げノブ１８の上面に確実に摺動して、逆止爪１９の振動が原因で生じる騒音の防止が可能となる。また巻き上げノブ１８は突起３１と突起３３ａ〜３３ｃとで保持されているのでガタつかなくなり、良好な操作感を得ることができる。また突起３３ａ〜３３ｃが巻き上げノブ１８に当接して内壁３９を支持している。
【００２９】
【発明の効果】
以上のように、本発明のレンズ付きフイルムユニットによれば、巻き上げノブの下面を中心側で支持するスリーブと、巻き上げノブの下面を外周縁側で支持する突起とを形成し、カートリッジ室の上面壁に巻き上げノブの下面を外周縁側で支持する突起を一体に形成し、この突起によって確保されたカートリッジ室の上面壁と巻き上げノブの下面との間のスペース内に、カートリッジ室の上面壁を貫通して遮光蓋に係合する駆動軸を有し遮光蓋を開閉するための蓋駆動部材を組み込んだので、巻き上げノブの操作時に傾いて巻き上げノブが蓋駆動部材に接触することがなくなり、蓋駆動部材を良好に組み込むことができる。
【００３０】
また巻き上げノブの外周縁に形成した歯面に係合して巻き上げノブの逆転操作を禁止する逆止爪と、巻き上げノブの上面に摺接して逆止爪が歯面に係脱する際の音の発生を抑制する消音片とがユニット本体に一体に形成されるとともに、ユニット本体の前面及び上面を覆う前カバーの内壁に突起を形成し、この突起で巻き上げノブの上方への移動を制限するようにしたので、巻き上げノブの操作時に消音片が巻き上げノブの上面から離れて音を発生するのを確実に防止することができる。
【図面の簡単な説明】
【図１】本発明のレンズ付きフイルムユニットの要部分解斜視図である。
【図２】本発明のレンズ付きフイルムユニットの要部斜視図である。
【図３】本発明のレンズ付きフイルムユニットの分解斜視図である。
【符号の説明】
３  ユニット本体
８  前カバー
１０  フイルムカートリッジ
１２  カートリッジ本体
１３  フイルム
１４  カートリッジ室
１８  巻き上げノブ
２１  底蓋
２５  フイルム出入り口
２６  遮光蓋
３１  突起
３３ａ〜３３ｃ  突起
３４  蓋駆動部材
３５  駆動軸
３６  係止レバー
３７  バネ
３８  連結棒
３９  内壁
【図１】
0003586028.tif 000002
【図２】
0003586028.tif 000003
【図３】
0003586028.tif 000004